(57)【要約】【課題】トレーサビリティシステムにおいて管理負担を増大させることなく商品に関連する商品関連情報を提供することができ、かつ商品関連情報の検索を迅速かつ的確に行うことができる商品情報提供システム、及び商品情報提供方法を提供する。【解決手段】商品情報提供サーバ１０が、商品に付されているトレーサビリティコードを提示した商品情報取得依頼に応じて商品の履歴情報を検索し、検索した履歴情報に含まれる商品特定情報にもとづいて、商品関連情報の取得依頼を行う商品関連情報管理サーバ２１，２２を選択し、選択した商品関連情報管理サーバ２１，２２に対して、商品特定情報を提示して商品関連情報の取得依頼を行う。そして、商品関連情報管理サーバ２１，２２によって検索された商品関連情報と、検索した履歴情報とを含む商品情報を消費者端末３０に送信する。【選択図】図５
2007172135.tif 000002
【特許請求の範囲】
【請求項１】
消費者端末からの依頼に応じて商品の履歴情報を含む商品情報を提供する商品情報提供サーバと、商品に関連する商品関連情報を管理する複数の商品関連情報管理サーバとを備えた商品情報提供システムであって、
前記商品情報提供サーバは、
商品に付されている履歴情報検索コードを提示した前記消費者端末からの商品情報取得依頼に応じて、当該履歴情報検索コードを用いて商品の履歴情報を検索する履歴情報検索手段と、
該履歴情報検索手段によって検索された履歴情報に含まれる商品特定情報にもとづいて、商品関連情報の取得依頼を行う商品関連情報管理サーバを選択する商品関連情報管理サーバ選択手段と、
該商品関連情報管理サーバ選択手段が選択した商品関連情報管理サーバに対して、前記商品特定情報を提示して、商品関連情報の取得依頼を行う商品関連情報取得依頼手段とを有し、
前記商品関連情報管理サーバは、
前記商品関連情報取得依頼手段からの商品関連情報の取得依頼に応じて、前記商品関連情報取得依頼手段によって提示された商品特定情報にもとづいて、商品関連情報を検索する商品関連情報検索手段と、
該商品関連情報検索手段が検索した商品関連情報を前記商品情報提供サーバに送信する商品関連情報送信手段とを有し、
前記商品情報提供サーバは、
前記商品関連情報検索手段によって検索された商品関連情報を受信する商品関連情報受信手段と、
前記履歴情報検索手段によって検索された履歴情報と前記商品関連情報受信手段によって受信された商品関連情報とを含む商品情報を前記消費者端末に送信する商品情報提供手段とを有する
ことを特徴とする商品情報提供システム。
【請求項２】
商品関連情報管理サーバ選択手段は、商品特定情報と商品関連情報管理サーバとが対応付けされた商品関連情報管理サーバ選択テーブルを用いて、商品関連情報の取得依頼を行う商品関連情報管理サーバを選択する
請求項１記載の商品情報提供システム。
【請求項３】
商品関連情報検索手段は、商品特定情報と商品関連情報とが対応付けされた商品関連情報検索テーブルを用いて、商品関連情報を検索する
請求項１または請求項２記載の商品情報提供システム。
【請求項４】
商品特定情報は、商品名、生産者名、製造者名、生産地名、販売先名のうち少なくともいずれか１つを含む
請求項１から請求項３のうちいずれかに記載の商品情報提供システム。
【請求項５】
商品関連情報は、該当する商品を使用したメニューのレシピ、前記商品とともに利用される商品の広告、画面デザインのうち少なくともいずれかを含む
請求項１から請求項４のうちいずれかに記載の商品情報提供システム。
【請求項６】
商品に付されている履歴情報検索コードを提示した消費者端末からの商品情報取得依頼に応じて、当該履歴情報検索コードを用いて商品の履歴情報を検索するステップと、
検索した履歴情報に含まれる商品特定情報にもとづいて、商品に関連する商品関連情報を管理する複数の商品関連情報管理サーバの中から、商品関連情報の取得依頼を行う商品関連情報管理サーバを選択するステップと、
選択した商品関連情報管理サーバに対して、前記商品特定情報を提示して、商品関連情報の取得依頼を行うステップと、
商品関連情報の取得依頼を受けた商品関連情報管理サーバによって商品特定情報にもとづいて検索された商品関連情報を受信するステップと、
該受信した商品関連情報と、履歴情報検索コードを用いて検索した履歴情報とを含む商品情報を前記消費者端末に送信するステップとを有する
ことを特徴とする商品情報提供方法。
【請求項７】
商品特定情報と商品関連情報管理サーバとが対応付けされた商品関連情報管理サーバ選択テーブルを用いて、商品関連情報の取得依頼を行う商品関連情報管理サーバを選択する
請求項６記載の商品情報提供方法。
【請求項８】
商品関連情報管理サーバは、商品特定情報と商品関連情報とが対応付けされた商品関連情報検索テーブルを用いて、商品関連情報を検索する
請求項６または請求項７記載の商品情報提供方法。
【請求項９】
商品特定情報は、商品名、生産者名、製造者名、生産地名、販売先名のうち少なくともいずれか１つを含む
請求項６から請求項８のうちいずれかに記載の商品情報提供方法。
【請求項１０】
商品関連情報は、該当する商品を使用したメニューのレシピ、前記商品とともに利用される商品の広告、画面デザインのうち少なくともいずれかを含む
請求項６から請求項９のうちいずれかに記載の商品情報提供方法。
【発明の詳細な説明】
【技術分野】
【０００１】
本発明は、トレーサビリティコードを検索キーとする商品の履歴照会依頼に応じて、商品の履歴情報とともに当該商品に関連する商品関連情報を提供する商品情報提供システム、及び商品情報提供方法に関する。
【背景技術】
【０００２】
近年、特定の野菜や食肉を購入した消費者等に対して、その野菜や食肉の生産・流通履歴をインターネットなどの通信ネットワークを介して提供するトレーサビリティシステムが利用されるようになってきている。
【０００３】
トレーサビリティシステムでは、野菜や食肉などの商品やその商品の包装に貼付あるいは印字されたコード（トレーサビリティコード）を検索キーとすることで、その商品の生産・流通履歴を検索し閲覧することが可能となる（例えば、特許文献１参照）。
【０００４】
【特許文献１】特開２００５−３１８７５号公報
【発明の開示】
【発明が解決しようとする課題】
【０００５】
上述した特許文献１に記載された従来のシステムでは、商品の生産・流通履歴が提供されるが、利用価値の高い他の情報をも提供することができれば、より有効にシステムを活用することが可能となる。
【０００６】
ところが、商品（青果物、肉、鶏卵、加工食品、調味料、飲料など）に関連する商品関連情報（例えば商品の特徴や商品とともに使用される他の商品などを示す情報）は、商品毎に日々追加・変更されるため、その商品を販売している店舗などが運用しているトレーサビリティシステムにて用いられる履歴情報の管理・提供を行うサーバ装置で管理すると、情報管理負担が膨大となるという問題があった。
【０００７】
また、商品関連情報の数が膨大となる場合には、商品関連情報の検索を迅速かつ的確に行うことができなくなるという課題があった。
【０００８】
本発明は、上述した問題を解消し、トレーサビリティシステムにおいて管理負担を増大させることなく商品に関連する商品関連情報を提供することができ、かつ商品関連情報の検索を迅速かつ的確に行うことができる商品情報提供システム、及び商品情報提供方法を提供することを目的とする。
【課題を解決するための手段】
【０００９】
本発明の商品情報提供システムは、消費者端末（例えば消費者端末３０）からの依頼に応じて商品の履歴情報を含む商品情報を提供する商品情報提供サーバ（例えば商品情報提供サーバ１０）と、商品に関連する商品関連情報を管理する複数の商品関連情報管理サーバ（例えば商品関連情報管理サーバ２１〜２Ｎ）とを備えた商品情報提供システム（例えば商品情報提供システム１００）であって、商品情報提供サーバは、商品に付されている履歴情報検索コードを提示した消費者端末からの商品情報取得依頼に応じて、当該履歴情報検索コードを用いて商品の履歴情報を検索する履歴情報検索手段と、該履歴情報検索手段によって検索された履歴情報に含まれる商品特定情報にもとづいて、商品関連情報の取得依頼を行う商品関連情報管理サーバを選択する商品関連情報管理サーバ選択手段と、該商品関連情報管理サーバ選択手段が選択した商品関連情報管理サーバに対して、商品特定情報を提示して、商品関連情報の取得依頼を行う商品関連情報取得依頼手段とを有し、商品関連情報管理サーバは、商品関連情報取得依頼手段からの商品関連情報の取得依頼に応じて、商品関連情報取得依頼手段によって提示された商品特定情報にもとづいて、商品関連情報を検索する商品関連情報検索手段と、該商品関連情報検索手段が検索した商品関連情報を商品情報提供サーバに送信する商品関連情報送信手段とを有し、商品情報提供サーバは、商品関連情報検索手段によって検索された商品関連情報を受信する商品関連情報受信手段と、履歴情報検索手段によって検索された履歴情報と商品関連情報受信手段によって受信された商品関連情報とを含む商品情報を消費者端末に送信する商品情報提供手段とを有することを特徴とする。
【００１０】
上記のように構成したことで、トレーサビリティシステムにおいて管理負担を増大させることなく商品に関連する商品関連情報を提供することができ、かつ商品関連情報の検索を迅速かつ的確に行うことができる。
【００１１】
商品関連情報管理サーバ選択手段は、例えば、商品特定情報と商品関連情報管理サーバとが対応付けされた商品関連情報管理サーバ選択テーブルを用いて、商品関連情報の取得依頼を行う商品関連情報管理サーバを選択する。このように構成すれば、商品関連情報管理サーバを迅速かつ適切に選択することができる。
【００１２】
商品関連情報検索手段は、例えば、商品特定情報と商品関連情報とが対応付けされた商品関連情報検索テーブルを用いて、商品関連情報を検索する。このように構成すれば、商品関連情報を迅速かつ適切に検索することができる。
【００１３】
商品特定情報は、例えば、商品名、生産者名、製造者名、生産地名、販売先名のうち少なくともいずれか１つを含む。また、商品関連情報は、例えば、該当する商品を使用したメニューのレシピ、商品とともに利用される商品の広告、画面デザインのうち少なくともいずれかを含む。
【００１４】
また、本発明の商品情報提供方法は、商品に付されている履歴情報検索コードを提示した消費者端末からの商品情報取得依頼に応じて、当該履歴情報検索コードを用いて商品の履歴情報を検索するステップと、検索した履歴情報に含まれる商品特定情報にもとづいて、商品に関連する商品関連情報を管理する複数の商品関連情報管理サーバの中から、商品関連情報の取得依頼を行う商品関連情報管理サーバを選択するステップと、選択した商品関連情報管理サーバに対して、商品特定情報を提示して、商品関連情報の取得依頼を行うステップと、商品関連情報の取得依頼を受けた商品関連情報管理サーバによって商品特定情報にもとづいて検索された商品関連情報を受信するステップと、該受信した商品関連情報と、履歴情報検索コードを用いて検索した履歴情報とを含む商品情報を消費者端末に送信するステップとを有することを特徴とする。
【発明の効果】
【００１５】
本発明によれば、トレーサビリティシステムにおいて管理負担を増大させることなく商品に関連する商品関連情報を提供することができ、かつ商品関連情報の検索を迅速かつ的確に行うことができる商品情報提供システム、及び商品情報提供方法を提供することができる。
【発明を実施するための最良の形態】
【００１６】
以下、本発明の一実施の形態について図面を参照して説明する。
図１は、本発明の一実施の形態における商品情報提供システム１００の構成の例を示すブロック図である。図１に示すように、商品情報提供システム１００は、商品情報提供サーバ１０と、商品関連情報管理サーバ２１〜２Ｎ（Ｎ：任意の正の整数）と、消費者端末３０とを含む。
【００１７】
商品情報提供サーバ１０、および商品関連情報管理サーバ２１〜２Ｎ（Ｎ：任意の正の整数）は、それぞれ、例えばインターネットなどの通信ネットワーク４０に接続されている。この商品情報提供サーバ１０、商品関連情報管理サーバ２１〜２Ｎ、および通信ネットワーク４０によって構成されるネットワークは、例えばＰ２Ｐ（Ｐｅｅｒ−Ｔｏ−Ｐｅｅｒ）アプリケーションソフトウェアによって実現されるＰ２Ｐネットワーク（オーバーレイネットワーク）であるものとする。
【００１８】
商品情報提供サーバ１０、および商品関連情報管理サーバ２１〜２Ｎは、それぞれ、ＷＷＷサーバなどの情報処理装置によって構成される。
【００１９】
商品情報提供サーバ１０は、例えば商品情報提供システム１００のシステム管理者によって管理される本部サーバであり、トレーサビリティシステムにおける履歴情報の提供処理などの各種の処理を実行する。商品情報提供サーバ１０は、各商品の履歴情報を格納する履歴情報ＤＢ１１を備えている。履歴情報は、商品の生産履歴や流通履歴を示す情報であって、例えば、商品分類、商品名、商品の生産者・製造者・販売元、商品の販売者・販売店、商品の生産日・製造日、商品の生産地・製造地などの各種の情報を含む。なお、履歴情報ＤＢ１１は、商品情報提供サーバ１０の内部にあっても外部にあってもよい。
【００２０】
商品関連情報管理サーバ２１〜２Ｎは、それぞれ、例えば商品の生産者、製造者、あるいは販売元によって管理されるサーバ装置であり、商品関連情報を格納する商品関連情報ＤＢ（図示せず）を備えている。商品関連情報は、商品に関連する各種の情報であって、例えば、商品を使用したメニューのレシピや、その商品に関連した広告や、その商品に関連した画面デザイン（例えば、商品に対応付けされた画面上の装飾、画面上に表示されるキャラクタ、文字書体など）などの情報を含む。なお、商品関連情報ＤＢは、商品関連情報管理サーバ２１〜２Ｎの内部にあっても外部にあってもよい。各商品関連情報管理サーバ２１〜２Ｎは、同一の構成であるため、以下の説明においては主として商品関連情報管理サーバ２１について説明する。
【００２１】
消費者端末３０は、例えばパーソナルコンピュータや携帯情報端末などの情報処理装置によって構成され、通信ネットワーク５０に接続するためのソフトウェア及びハードウェアを含む環境を備えているものとする。
【００２２】
図２は、依頼サーバ選択テーブルの構成例を示す説明図である。依頼サーバ選択テーブルは、商品情報提供サーバ１０が備えるＤＢ（例えば履歴情報ＤＢ１１）に格納されている。依頼サーバ選択テーブルは、商品関連情報管理サーバ２１〜２Ｎの中から商品関連情報の検索・提供依頼を行う商品関連情報管理サーバを決定するために用いられるテーブルである。
【００２３】
図２に示すように、依頼サーバ選択テーブルには、商品関連情報管理サーバ２１〜２Ｎのサーバ名と、各商品関連情報管理サーバ２１〜２Ｎにより商品関連情報が管理されている商品を特定するための商品特定情報とが対応付けされている。
【００２４】
本例では、商品関連情報管理サーバ２１〜２Ｎには、それぞれ、商品関連情報管理サーバＡ，商品関連情報管理サーバＢ，商品関連情報管理サーバＣ，・・・のサーバ名が付与されているものとする。また、商品特定情報は、履歴情報に含まれる情報であって、例えば、生産者、製造者、販売元、商品名、商品分類、販売先名などのうち、１または２以上によって表される。
【００２５】
図３は、フレーム決定用テーブルの構成例を示す説明図である。フレーム決定用テーブルは、商品情報提供サーバ１０が備えるＤＢ（例えば履歴情報ＤＢ１１）に格納されている。フレーム決定用テーブルは、あらかじめ登録されている複数のフレームのうち、どのフレームを使用するか否かを決定するために用いられるテーブルである。
【００２６】
図３に示すように、フレーム決定用テーブルには、それぞれ、消費者端末３０がアクセスに使用したＵＲＬ（Uniform Resource Locator）と、フレーム名とが対応付けされて格納されている。
【００２７】
本例では、商品情報提供サーバ１０は、複数種類の異なるＵＲＬを使用したアクセスをそれぞれ受け付ける。すなわち、商品情報提供サーバ１０は、各ＵＲＬに対応付けられた複数のＧＷを備えている。そして、商品情報提供サーバ１０は、アクセスに使用されたＵＲＬに対応付けされているフレームを使用した画面を提供する。
【００２８】
図４は、商品関連情報選択テーブルの例を示す説明図である。商品関連情報選択テーブルは、各商品関連情報管理サーバ２１〜２Ｎが備えるＤＢそれぞれに格納されている。商品関連情報選択テーブルは、提供する商品関連情報を選択するためのテーブルである。
【００２９】
図４に示すように、商品関連情報選択テーブルには、商品特定情報と、商品関連情報とが対応付けされて格納されている。
【００３０】
次に、本例の商品情報提供システム１００の動作について説明する。
ここでは、店舗Ａにて商品Ｘ，Ｙを購入した消費者Ｚが、消費者端末３０を利用して商品Ｘ，Ｙの履歴照会を行う場合を例に説明することとし、本発明に特に関わる処理以外は、説明を省略している場合があるものとする。
【００３１】
図５は、本例の商品情報提供システム１００における商品情報提供処理の例を示すフローチャートである。商品情報提供処理において、先ず、消費者端末７０は、消費者Ｚの操作に応じて商品情報提供サーバ１０にアクセスする（ステップＳ１０１）。ステップＳ１０１では、例えば、商品Ｘ，Ｙを購入した店舗Ａに付与されているＵＲＬによりアクセスされる。
【００３２】
消費者端末７０からのアクセスがあると、商品情報提供サーバ１０は、アクセスに使用されたＵＲＬを確認し、フレーム決定用テーブルを用いて、ＵＲＬに対応付けされているフレームを使用フレームに決定する（ステップＳ１０２）。
【００３３】
使用フレームを決定すると、商品情報提供サーバ１０は、決定したフレームを用いたコード入力画面を生成し、消費者端末３０に送信する（ステップＳ１０３）。本例では、使用するフレームに応じたコード入力画面が生成される。すなわち、コード入力画面は、使用するフレームによって異なるものとされる。例えば、ステップＳ１０２にて店舗Ａ用のフレームに決定された場合には、ステップＳ１０３にて店舗Ａ用のコード入力画面が生成されて送信される。よって、店舗毎に異なるコード入力画面を提供することが可能となる。
【００３４】
消費者端末３０は、商品情報提供サーバ１０からのコード入力画面を、自己が備える表示装置に表示する。コード入力画面には、例えば図６に示すように、例えば店舗Ａの名称などが表示された表示領域や、トレーサビリティコードを入力するためのコード入力領域などが設けられている。本例では、複数の商品の履歴照会を同時に行うことができるようにするため、コード入力領域が複数設けられているものとする。
【００３５】
コード入力画面が表示されると、消費者Ｚは、商品Ｘに付与されているトレーサビリティコードと、商品Ｙに付与されているトレーサビリティコードとを、コード入力領域にそれぞれ入力する。
【００３６】
そして、消費者端末３０は、消費者Ｚによって入力された商品Ｘ，Ｙそれぞれのトレーサビリティコードを商品情報提供サーバ１０に送信する（ステップＳ１０４）。
【００３７】
トレーサビリティコードを受信すると、商品情報提供サーバ１０は、履歴情報ＤＢ１１に格納されている履歴情報を参照し、受信したトレーサビリティコードを用いて、商品Ｘ，Ｙそれぞれの履歴情報を検索する（ステップＳ１０５）。具体的には、履歴情報ＤＢ１１に格納されている履歴情報の中から、トレーサビリティコードに対応付けされている履歴情報を抽出する。
【００３８】
次いで、商品情報提供サーバ１０は、依頼サーバ選択テーブルを用いて、各商品関連情報管理サーバ２１〜２Ｎの中から、検索した履歴情報が示す商品特定情報が対応付けされている商品関連情報管理サーバを、商品関連情報の提供を要求する商品関連情報管理サーバとすることに決定する（ステップＳ１０６）。ここでは、商品関連情報管理サーバ２１，２２とすることに決定したものとする。
【００３９】
そして、商品情報提供サーバ１０は、決定した商品関連情報管理サーバ２１，２２に対して、その商品関連情報管理サーバ２１，２２に対応付けされていた商品特定情報を提示して、商品関連情報の提供要求を行う（ステップＳ１０７）。
【００４０】
商品関連情報管理サーバ２１は、商品関連情報の提供要求に応じて、自己の商品関連情報選択テーブルを用いて商品関連情報を検索する（ステップＳ１０８）。具体的には、自己が備えるＤＢに格納されている商品関連情報の中から、受信した商品特定情報に対応付けされている商品関連情報を抽出する。その後、商品関連情報管理サーバ２１は、検索した商品関連情報を商品情報提供サーバ１０に対して送信する（ステップＳ１０９）。
【００４１】
また、商品関連情報管理サーバ２２は、商品関連情報の提供要求に応じて、自己の商品関連情報選択テーブルを用いて商品関連情報を検索する（ステップＳ１１０）。具体的には、自己が備えるＤＢに格納されている商品関連情報の中から、受信した商品特定情報に対応付けされている商品関連情報を抽出する。その後、商品関連情報管理サーバ２２は、検索した商品関連情報を商品情報提供サーバ１０に対して送信する（ステップＳ１１１）。
【００４２】
商品情報提供サーバ１０は、各商品関連情報管理サーバ２１，２２からの商品関連情報を受信すると、商品情報提供画面を生成する（ステップＳ１１２）。そして、商品情報提供サーバ１０は、生成した商品情報提供画面を消費者端末３０に対して送信する（ステップＳ１１３）。
【００４３】
消費者端末３０は、商品情報提供サーバ１０からの商品情報提供画面を、自己が備える表示装置に表示する（ステップＳ１１４）。商品情報提供画面には、例えば図７に示すように、ステップＳ１０５にて検索した商品Ｘ，Ｙそれぞれの履歴情報の一部または全部が表示される表示領域と、各商品関連情報管理サーバ２１，２２から取得した商品Ｘ，Ｙそれぞれの商品関連情報が表示される表示領域とを含む。
【００４４】
以上に説明したように、上述した一実施の形態では、商品情報提供サーバ１０が、商品に付されている履歴情報検索コード（トレーサビリティコード）を提示した消費者端末３０からの商品情報取得依頼に応じて、当該履歴情報検索コードを用いて商品の履歴情報を検索し、検索した履歴情報に含まれる商品特定情報にもとづいて、商品に関連する商品関連情報を管理する複数の商品関連情報管理サーバ２１〜２Ｎの中から、商品関連情報の取得依頼を行う商品関連情報管理サーバ（例えば商品関連情報管理サーバ２１，２２）を選択し、選択した商品関連情報管理サーバ２１，２２に対して、商品特定情報を提示して商品関連情報の取得依頼を行い、商品関連情報の取得依頼を受けた商品関連情報管理サーバ２１，２２によって商品特定情報にもとづいて検索された商品関連情報を受信し、受信した商品関連情報と、履歴情報検索コードを用いて検索した履歴情報とを含む商品情報を消費者端末３０に送信する構成としたので、トレーサビリティシステムにおいて管理負担を増大させることなく商品に関連する商品関連情報を提供することができ、かつ商品関連情報の検索を迅速かつ的確に行うことができる。
【００４５】
すなわち、上述した一実施の形態では、複数の商品関連情報管理サーバ２１〜２Ｎの中から提供すべき商品関連情報を管理している商品関連情報管理サーバを選択し、その商品関連情報管理サーバに商品関連情報の検索を実行させるため、システム１００全体で管理されている全ての商品関連情報を検索する必要がなく、商品関連情報の検索を迅速かつ的確に行うことができる。
【００４６】
また、上述した一実施の形態では、商品情報を消費者端末３０に提供する商品情報提供サーバ１０とは別の商品関連情報管理サーバ２１〜２Ｎによって商品関連情報を管理する構成としたので、商品関連情報の数が膨大な場合であっても、商品関連情報管理サーバ２１〜２Ｎによって商品関連情報の追加や更新がそれぞれ行われ、各商品関連情報管理サーバ２１〜２Ｎによってそれぞれ管理されるので、商品情報提供サーバ１０の管理負担が増大するようなことはない。
【００４７】
また、商品情報を消費者端末３０に提供する商品情報提供サーバ１０とは別の商品関連情報管理サーバ２１〜２Ｎによって商品関連情報を管理する構成としたので、商品関連情報の追加や更新があったときであっても、商品の追加などが生じない限り商品情報提供サーバ１０側は何ら更新する必要が生じない。このため、商品情報提供サーバ１０の管理負担が増加することを防止できる。また、商品の追加などが生じた場合であっても、例えば依頼サーバ選択テーブルにおける商品特定情報の内容を変更するだけでよいので、商品情報提供サーバ１０の管理負担が増大するようなことはない。
【００４８】
なお、上述した一実施の形態では、商品関連情報として、該当する商品を使用したメニューのレシピや、該当する商品とともに利用される商品の広告などを例に挙げていたが、その商品関連情報が掲載されたウェブページへのリンク情報とされていてもよい。
【産業上の利用可能性】
【００４９】
本発明によれば、トレーサビリティシステムにおいて管理負担を増大させることなく商品に関連する商品関連情報を提供し、かつ商品関連情報の検索を迅速かつ的確に行うのに有用である。
【図面の簡単な説明】
【００５０】
【図１】本発明の一実施の形態における商品情報提供システムの構成の例を示すブロック図である。
【図２】依頼サーバ選択テーブルの構成例を示す説明図である。
【図３】フレーム決定用テーブルの構成例を示す説明図である。
【図４】商品関連情報選択テーブルの構成例を示す説明図である。
【図５】商品情報提供処理の例を示すフローチャートである。
【図６】コード入力画面の例を示す説明図である。
【図７】商品情報提供画面の例を示す説明図である。
【符号の説明】
【００５１】
１０        商品情報提供サーバ
１１        履歴情報ＤＢ
２１〜２Ｎ  商品関連情報管理サーバ
３０        ユーザ端末
１００      商品情報提供システム
【図１】
2007172135.tif 000003
【図２】
2007172135.tif 000004
【図３】
2007172135.tif 000005
【図４】
2007172135.tif 000006
【図５】
2007172135.tif 000007
【図６】
2007172135.tif 000008
【図７】
2007172135.tif 000009